(57)【要約】【課題】  満充填時にもバランスが取れやすい把持位置にて、しかも容器の側方の二方向の何れからも安定して把持し易い二軸延伸ブロー成形容器を提供すること。【解決手段】  二軸延伸ブロー成形容器１０の胴部２０は、相対向して配置される２つの第１側面部３０と、２つの第１側面部３０を２つの上側面部３２と２つの下側面部３４とに区画する、内方に窪む周リブ７０と、２つの下側面部３４の各々にて、２つの下側面部の各縦中心線Ｐ１上に位置する隔壁１１０の両側にそれぞれ配置され、２つの下側面部３４にて最外表面となる平坦面３４Ａよりもそれぞれ内方に窪んで成形され、指の末節の指腹を挿入可能な２つの指掛け部１００とを含む。【選択図】      図１
2010030603.tif 000002
【特許請求の範囲】
【請求項１】
口部と、胴部と、前記口部と前記胴部とを結ぶ肩部と、前記胴部を閉塞する底部とを有し、
前記胴部は、
相対向して配置される２つの第１側面部と、
前記２つの第１側面部を２つの上側面部と２つの下側面部とに区画する、内方に窪む周リブと、
前記２つの下側面部の各々にて、縦中心線上に位置する隔壁の両側にそれぞれ配置され、前記２つの下側面部にて最外表面となる平坦面よりもそれぞれ内方に窪んで成形され、指の末節の指腹を挿入可能な２つの指掛け部と、
を含むことを特徴とする二軸延伸ブロー成形容器。
【請求項２】
請求項１において、
前記２つの指掛け部が配置される縦軸高さ位置は、前記周リブの縦軸高さ位置よりも、満充填時の前記二軸延伸ブロー成形容器の縦軸重心位置に近いことを特徴とする二軸延伸ブロー成形容器。
【請求項３】
請求項１または２において、
前記２つの指掛け部の各々は、前記縦中心線に近い第１縦側辺と、前記第１縦側辺よりも前記縦中心線から遠い第２縦側辺とをそれぞれ輪郭線上に有し、
前記２つの指掛け部の各々はさらに、
内方に窪んだ底壁部と、
前記第１縦側辺と前記底壁部とを結ぶ急傾斜部と、
前記第２縦側辺と前記底壁部とを結ぶ緩傾斜部と、
を含むことを特徴とする二軸延伸ブロー成形容器。
【請求項４】
請求項３において、
前記２つの指掛け部の間の前記隔壁は、前記平坦面よりも内方に窪んでいることを特徴とする二軸延伸ブロー成形容器。
【請求項５】
請求項４において、
前記２つの指掛け部と前記周リブとの間の領域には前記平坦面と面一の仕切り領域が配置され、かつ、前記隔壁と面一にて上方に延長した延長領域が、前記仕切り領域を二分して前記周リブに達していることを特徴とする二軸延伸ブロー成形容器。
【請求項６】
請求項５において、
前記周リブは、前記縦中心線上にて、前記周リブの凹面よりも外方に突出し、かつ、前記平坦面よりも内方に窪んだ中央リブを有することを特徴とする二軸延伸ブロー成形容器。
【請求項７】
請求項１乃至６のいずれかにおいて、
前記隔壁には、前記隔壁よりも内方に窪み、かつ、前記２つの指掛け部の底壁部よりも浅い窪みの凹リブが設けられ、前記凹リブの両端が前記２つの指掛け部に連通していることを特徴とする二軸延伸ブロー成形容器。
【請求項８】
請求項１乃至７のいずれかにおいて、
前記胴部は、
前記２つの第１側面部の各幅よりも狭い幅を有し、相対向する２つの第２側面部と、
前記２つの第１側面部の幅方向の各両端と、前記２つの第２側面部の幅方向の各両端部とが交わる４つの角部にそれぞれ設けられた面取り部と、
をさらに有し、
前記２つの下側面部には、前記２つの指掛け部よりも下方に減圧吸収パネルが配置されていることを特徴とする二軸延伸ブロー成形容器。
【発明の詳細な説明】
【技術分野】
【０００１】
本発明は、本発明は特に大型の容量に好適な、把持し易い二軸延伸ブロー成形容器に関する。
【背景技術】
【０００２】
比較的に容量が大きな容器は、その容器を把持し易いように、容器とは別体の取手が設けられることがある。しかし、取手付き容器は、容器とは別体で取手が必要となると共に、取手を容器と一体化させるインサート成形等の技術を要し、取手のない容器よりも高価となる。
【０００３】
一方、二軸延伸ブロー成形される容器の胴部自体に、指先を侵入させて把持しやすくした容器が提供されている（特許文献１〜３）。これらの容器では、二軸延伸された胴部自体に把持部を成形することができるので、取手付き容器よりも安価に製造できる利点がある。
【０００４】
特許文献１は、その図１〜図５に図示されている通り、胴部（２）の略中央高さ位置に補強用の中央周溝（４）を設け、その中央周溝（４）の一部を共有した構成にて、一つの指先が侵入できる程度の高さ幅と横幅とを有する凹部（３）を設けた合成樹脂性壜体を開示している。
【０００５】
特許文献２の図１〜図５では、胴部（２）の周溝（３）の一部を共有した特許文献１と同様な指掛け用の凹部（６）を、周溝（３）よりも大きい深さで形成することを開示している。
【０００６】
特許文献３でも、その図１に特許文献１，２と同様に胴部（２）の周溝（３）の一部を共有した把持部（７）や、図６では周溝（３）のない容器の胴部に設けた把持部（７）を開示している。この把持部（７）の断面形状は、特許文献２と同様に、周溝（３）が存在する場合にはその周溝（３）よりも深さの大きい凹部（７６）を有することに加え、特許文献１，２とは相違した把持部（７）の断面形状を定義している。
【特許文献１】特許第２８３９０１２号公報
【特許文献２】特許第３０５９９７５号公報
【特許文献３】特開２００４−２５００６３号公報
【発明の開示】
【発明が解決しようとする課題】
【０００７】
しかし、上述した特許文献１〜３は、周溝の一部を共有した把持部として機能する凹部を開示したものであって、凹部の位置が限定されてデザインの多様性に欠けるとうい問題がある。
【０００８】
また、一般に周溝の高さ位置が容器高さをほぼ二等分する位置であるので、容器の重心高さ位置よりも上方を把持することになる。よって、容器に内容物が満杯に充填されているときには、注ぎ難いという問題がある。
【０００９】
さらに、容器の容量が１．５リットル、２リットルと大型化すると、幅広の側面部の縦軸中心に一つだけ把持部を設けた場合、比較的に手のサイズの小さな女性や子供等は把持し難いという問題がある。一つの把持部を横長に設ければ挿入可能となるが、挿入された指先よりも大きな凹部となるので把持が安定せず、特に指先の先端側にストッパが無いため滑り易いという問題がある。
【００１０】
そこで、本発明の目的は、満充填時にもバランスが取れやすい把持位置にて、しかも容器の側方の二方向の何れからも安定して把持し易い二軸延伸ブロー成形容器を提供することにある。
【００１１】
本発明の他の目的は、耐熱性容器であって、把持するための指掛け部を減圧時に変形し易くした減圧吸収パネルの一部として兼用することができる二軸延伸ブロー成形容器を提供することにある。
【課題を解決するための手段】
【００１２】
本発明の一態様に係る二軸延伸ブロー成形容器は、
口部と、胴部と、前記口部と前記胴部とを結ぶ肩部と、前記胴部を閉塞する底部とを有し、
前記胴部は、
相対向して配置される２つの第１側面部と、
前記２つの第１側面部を２つの上側面部と２つの下側面部とに区画する、内方に窪む周リブと、
前記２つの下側面部の各々にて、縦中心線上に位置する隔壁の両側にそれぞれ配置され、前記２つの下側面部にて最外表面となる平坦面よりもそれぞれ内方に窪んで成形され、指の末節の指腹を挿入可能な２つの指掛け部と、
を含むことを特徴とする。
【００１３】
本発明では、幅広の第１下側面部に２つの指掛け部を設けたので、容器の左右何れからも把持しやすい位置に各指掛け部を配置できる。加えて、第１下側面部に２つの指掛け部を設けたので、一つの指掛け部は一つの指先をフィットできる大きさ、特にその横幅を設定することができる。よって、一つの指掛け部は挿入された指先に適合した凹部となるので把持が安定する。しかも、一つの指掛け部に挿入された指先の先端側には隔壁が存在する。この隔壁が指先の挿入時のストッパとして機能し、把持位置が安定する。
【００１４】
特に、容器の容量が１．５リットル、２リットル等と大型化すると、幅広の側面部の縦軸中心に一つだけ把持部を設けた場合、比較的に手のサイズの小さな女性や子供等は把持し難くなる。特許文献１〜３に開示された一つの把持部を横長に設ければ挿入可能となるが、挿入された指先よりも大きな凹部となるので把持位置が安定せず、特に指先の挿入先端側に挿入時のストッパが存在しない。容器を傾けて内容物を注ぐ時には、把持部の挿入後端側の壁がストッパとなるが、指先挿入時の把持位置が安定していないと、容器を傾けた時に挿入後端側の壁に当たるまで把持部内で指が滑ることになり、不安定である。
【００１５】
また、一般の容器では、周リブは口部下から底部をほぼ二分する位置にて胴部を補強するために設けられるが、周リブの上側領域には容量の小さい肩部が配置されることも考慮すると、周リブの上側領域の容量よりも、周リブの下側領域の容量が大きい場合が多い。
【００１６】
そこで、周リブの下方の２つの下側面部に指掛け部を設けると、満充填時にもバランスが取れやすい把持位置にて容器を把持することができる。
【００１７】
また、本発明の一態様に係る容器は、殺菌のために、例えば８０−９５℃程度に加熱された状態で熱充填する耐熱容器にも好適である。なぜなら、２つの指掛け部とその中心の隔壁が一体となって、内容物が常温まで冷却されるに伴って容器内が減圧された時に変位して、減圧吸収パネルの一部として機能するからである。２つの指掛け部とその間の隔壁は、横断面にて凹リブ、凸リブ、凹リブを形成した補強構造であるので、その領域のパネル強度が高くなる。よって、２つの指掛け部とその間の隔壁を、その周囲の平坦面をヒンジとして、減圧時に一体的に変位させることができる。
【００１８】
本発明の一態様では、前記２つの指掛け部が配置される縦軸高さ位置は、前記周リブの縦軸高さ位置よりも、満充填時の前記二軸延伸ブロー成形容器の縦軸重心位置に近い位置とすることができる。周リブの下方の２つの下側面部に指掛け部を設けるとこのような位置関係を確保できるので、確認的に定義したものである。満充填時の二軸延伸ブロー成形容器の縦軸重心位置に把持位置が近いと、満充填時にもバランスが取れやすい把持位置にて容器を把持することができる。
【００１９】
本発明の一態様では、前記２つの指掛け部の各々は、前記縦中心線に近い第１縦側辺と、前記第１縦側辺よりも前記縦中心線から遠い第２縦側辺とをそれぞれ輪郭線上に有し、
前記２つの指掛け部の各々はさらに、
内方に窪んだ底壁部と、
前記第１縦側辺と前記底壁部とを結ぶ急傾斜部と、
前記第２縦側辺と前記底壁部とを結ぶ緩傾斜部と、
を含むことができる。
【００２０】
指掛け部を上述の通りの構造とすると、緩傾斜部の存在により指先を挿入しやすく、急傾斜部の存在は指先のストッパ効果を高めるものとなる。
【００２１】
本発明の一態様では、前記２つの指掛け部の間の前記隔壁を、前記平坦面よりも内方に窪ませることができる。こうすると、底壁部と隔壁とを急傾斜部にて結んでも、二軸延伸ブロー成形時の形状出しが容易となる。
【００２２】
本発明の一態様では、前記２つの指掛け部と前記周リブとの間の領域には前記平坦面と面一の仕切り領域が配置され、かつ、前記隔壁と面一にて上方に延長した延長領域を、前記仕切り領域を二分して前記周リブに到達させることができる。こうすると、２つの指掛け部がその中心の隔壁をきっかけとして減圧時に変形し易くなる。
【００２３】
本発明の一態様では、前記周リブは、前記縦中心線上にて、前記周リブの凹面よりも外方に突出し、かつ、前記平坦面よりも内方に窪んだ中央リブを有することができる。
【００２４】
こうすると、一直線上に位置する隔壁、延長領域及び中央リブが一体となって変位することで、２つの指掛け部が追従して減圧時に変位しやすくなる。
【００２５】
本発明の一態様では、前記隔壁には、前記隔壁よりも内方に窪み、かつ、前記２つの指掛け部の底壁部よりも浅い窪みの凹リブが設けられ、前記凹リブの両端を前記２つの指掛け部に連通させることができる。こうすると、隔壁の途中に設けた凹リブが、減圧変形する隔壁を補強することができる。
【００２６】
本発明の一態様では、前記胴部は、前記２つの第１側面部の各幅よりも狭い幅を有し、相対向する２つの第２側面部と、前記２つの第１側面部の幅方向の各両端と、前記２つの第２側面部の幅方向の各両端部とが交わる４つの角部にそれぞれ設けられた面取り部と、
をさらに有し、前記２つの下側面部には、前記２つの指掛け部よりも下方に減圧吸収パネルを配置することができる。
【００２７】
本発明の一態様によれば、２つの指掛け部及び隔壁を下側面部に設けた分だけ、減圧吸収パネルのパネル面積は減少する。しかし、上述した減圧時には、強度が比較的低い平坦面及び仕切り領域をヒンジ領域として、その内側に位置する２つの指掛け部、隔壁及び減圧吸収パネルが、その形状を維持したまま内側に変位して、減圧吸収することができる。つまり、２つの指掛け部及び隔壁もまた、減圧吸収パネルの他の一部として機能させることで、減圧吸収パネルと共に減圧時の変位を充分に吸収できる。
【発明を実施するための最良の形態】
【００２８】
以下、本発明の好適な実施の形態について詳細に説明する。なお以下に説明する本実施形態は特許請求の範囲に記載された本発明の内容を不当に限定するものではなく、本実施形態で説明される構成の全てが本発明の解決手段として必須であるとは限らない。
【００２９】
（容器の全体構造）
図１は、本実施形態に係る二軸延伸ブロー成形容器１０の正面図である。図１において、この容器１０は、開口した口部１２を有する有底筒状プリフォーム（図示せず）を射出成形し、その後、プリフォーム内に、延伸ロッドとブローエアとを導入して、口部１２を除く有底胴部を二軸延伸ブロー成形することで得られる。この容器１０は、射出成形された口部１２の他に、横断面が略矩形の胴部２０と、口部１２と胴部２０とを結ぶ肩部１４と、胴部２０を閉塞する底部１６とを有する。
【００３０】
図２は図１のＩＩ−ＩＩ端面図、図３は図１のIII−III端面図である。図４（Ａ）は図２の横断線ＩＶＡ−ＩＶＡにて容器１０全体を切断した端面図、図４（Ｂ）は図２の横断線ＩＶＢ−ＩＶＢにて容器１０全体を切断した端面図、図４（Ｃ）は図２の横断線ＩＶＣ−ＩＶＣにて容器１０全体を切断した端面図である。なお、図４（Ａ）〜図４（Ｃ）において、容器１０のうち射出成形された比較的厚肉の口部１２と、この厚肉の口部１２から肩部１４の二軸延伸領域に亘る移行部の肉厚を除いて、肩部１４、底部１６及び胴部２０は二軸延伸されて極めて薄肉であるので、その薄肉部の厚さは実線のみで示している。
【００３１】
図１及び図２に示すように、容器１０の胴部２０は、幅広の２つの第１側面部３０と、幅狭の２つの第２の側面部４０とを有して、横断面が略矩形に形成されている。また、２つの第１側面部３０の幅方向の各両端と、２つの第２側面部４０の幅方向の各両端部とが交わる４つの角部には、４つの面取り部６０を形成することができる。なお、本実施形態のように面取り部６０とするものや、これに代えて角部を湾曲させたものも含めて、横断面が略矩形の胴部２０と称する。なお、本発明はこれに限らず、胴部２０が相対向する２つの第１側面部３０を少なくとも有するものであれば、他の胴部形状は上述した各種形状に限定されるものではない。
【００３２】
図１〜図４に示すように、胴部２０は、２つの第１側面部３０及び２つの第２側面部４０を高さ方向で二分する位置に設けられた、内方に窪む周リブ７０を有することができる。この周リブ７０は、胴部２０の剛性を高める目的で設けられている。なお、周リブ７０の横断面形状は例えば図３の通りであり、４つの面取り部６０を除く４つの第１，第２側面部３０，４０には、各幅方向の中心に向けて内方窪み量が増大する凹リブ７２と、幅方向中心部にて外方に向けて突出する凸状の中央リブ７４とが設けられている。中央リブ７４は、周リブ７０の凹面よりも外方に突出し、かつ、最該表面である平坦面３４Ａよりも内方に窪んでいる。
【００３３】
図１〜図４に示すように、周リブ７０によって、幅広の２つの第１側面部３０は、２つの第１上側面部３２と２つの第１下側面部３４とに区画される。同様に、図１〜図４に示すように、周リブ７０によって、幅狭の２つの第２側面部４０は、２つの第２上側面部４２と２つの第２下側面部４４とに区画される。さらに、４つの面取り部６０も、４つの上側面取り部６２と４つの下側面取り部６４とに区画される。４つの上側面取り部６２と４つの下側面取り部６４とには、内方に窪む補強リブ６６を設けて、面取り部６０を補強してその変形を防止することができる。この補強リブ６６は、各面取り部６２，６４の縦方向に沿って長い一つの連続リブとする他、複数のリブを縦方向で間隔を置いて配置してもよい。また、補強リブ６６は、４つの下側面取り部６４にのみ形成しても良いし、幅狭の面取り部６０自体の強度が比較的高いので、補強リブ６６を全く設けなくても良い。
【００３４】
（指掛け部）
本実施形態では、図１及び図２に示すように、幅広の２つの第１下側面部３４の各々に２つ、２つの第１下側面部３４で計４つの指掛け部１００を設けている。２つの第１下側面部３４の各々に設けられた２つの指掛け部１００，１００は、２つの第１下側面部３４の各縦中心線Ｐ１上に位置する隔壁１１０の両側にて、２つの第１下側面部３４にて最外表面となる平坦面３４Ａよりもそれぞれ内方に窪んで成形されている。好ましくは、２つの指掛け部１００，１００は、縦中心線Ｐ１に対して線対象となる各位置に配置されている。
【００３５】
図５は、２つの第１下側面部３４の各一つにある指掛け部１００，１００に、それぞれ親指２００と人差し指２１０の末節の指腹を挿入して、容器１０を把持した状態を示している。図５に示すように、使用される２つの指掛け部１００，１００の各々は、２つの第１下側面部３４，３４の各幅方向を２等分する中心線Ｐ２よりも片側に偏位している。従って、比較的に手のサイズが小さな女性や子供でも、容易に容器１０を把持することができる。
【００３６】
また、２つの第１下側面部３４の各一つに、図１に示す隔壁１１０を挟んだ両側にて、好ましくは縦軸中心線Ｐ１を境に線対称位置にて、２つの指掛け部１００，１００を形成したので、図５のように左側から把持する場合に限らず、図５の右側からも同様にして容易に把持することができる。
【００３７】
本実施形態と上述した特許文献１〜３とを比較すると次の相違点がある。特許文献１〜３によれば、胴部に一体形成した把持部は、周溝（周リブ）と一部を共有した構成にて、一つの指先が侵入できる程度の高さ幅と横幅とを有する一つの凹部を縦軸中心線Ｐ１上に配置するものであった。
【００３８】
よって、容器の容量が１．５リットル、２リットル等と大型化すると、幅広の側面部の縦軸中心に一つだけ把持部を設けた場合、比較的に手のサイズの小さな女性や子供等は把持し難くなる。一つの把持部を横長に設ければ挿入可能となるが、挿入された指先よりも大きな凹部となるので把持が安定せず、特に指先の先端側にストッパ（図５の隔壁１１０）が無い。
【００３９】
本実施形態では、第１下側面部３４に２つの指掛け部１００，１００を設けたので、上述したように図５の左右何れからも把持しやすい位置に各指掛け部１００，１００を配置できる。加えて、第１下側面部３４に２つの指掛け部１００，１００を設けたので、一つの指掛け部１００は一つの指先をフィットできる大きさ、特にその横幅を設定することができる。よって、一つの指掛け部１００は挿入された指先に適合した凹部となるので把持が安定する。しかも、一つの指掛け部１００に挿入された指先の先端側には隔壁１１０が存在する。この隔壁１１０が指先の挿入時のストッパとして機能し、把持位置が安定する。容器を傾けて内容物を注ぐ時には、把持部の挿入後端側の壁がストッパとなるが、指先挿入時に把持位置が安定しているので、容器を傾けた時に挿入後端側の壁に当たるまで指掛け部１００内で指が滑ることはなく、内容物を注ぐ時にも安定して把持できる。
【００４０】
さらに、本実施形態の指掛け部１００は、容器１０の縦軸高さ方向においても最適位置に配置することができる。図１に示すように、周リブ７０の縦軸高さ位置は、口部１２の下部例えばサポートリング１２Ａから距離Ｌ１、底部１６から距離Ｌ２の位置にあり、見た目上はほぼＬ１＝Ｌ２となる。事実、周リブ７０は胴部２０の剛性を高めるという技術的理由と、外観デザインの視点とから、口部１２の下端から底部１６に至る長さをほぼ二等分した位置や、あるいはＬ１側を僅かに長くしてＬ１＞Ｌ２に設定されることが多い（容器１０の容量が２リットルである本実施形態では、Ｌ１≒１３５ｍｍ、Ｌ２≒１４５ｍｍである）。いずれの場合も、長さＬ１の上側領域には容量の小さい肩部１４が配置されることも考慮すると、明らかに周リブ７０の上側領域の容量よりも、周リブ７０の下側領域の容量が大きい。
【００４１】
よって、周リブ７０を有する一般の容器である本実施形態の容器１０は、満充填時の容器１０の縦軸高さ方向での重心位置は、周リブ７０よりも必ず下方に位置することが分かる。上述した特許文献１〜３のように、周リブ７０の一部を共有した構成で指掛け用の凹部を形成すると、その把持位置は満充填時の容器の重心位置よりも上方となる。本実施形態では、周リブ７０の下方にて、第１下側面部３４に指掛け部１００を設けている。よって、２つの指掛け部１００，１００が配置される縦軸高さ位置は、周リブ７０の縦軸高さ位置よりも、満充填時の容器１０の重心位置に近いかほぼ等しくなる。このため、腕力が弱くても、容器１０を安定して保持でき、容器１０を傾けて内容物を注ぐ動作も安定して行うことができる。
【００４２】
（指掛け部の詳細構造）
２つの第１下側面部３４の各々に設けられた２つの指掛け部１００の各々は、図１及び図２に示すようにも縦中心線Ｐ１に近い第１縦側辺１０２と、この第１縦側辺１０２より縦中心線Ｐ１から遠い第２縦側辺１０４とをそれぞれ輪郭線上に有している。
【００４３】
２つの第１下側面部３４の各々に設けられた２つの指掛け部１００の各々はさらに、内方に窪んだ底壁部１０５と、第１縦側辺１０２と底壁部１０５とを結ぶ急傾斜部１０６と、記第２縦側辺１０４と底壁部１０５とを結ぶ緩傾斜部１０７と、を有する。つまり、これら底壁部１０５、急傾斜部１０６及び緩傾斜部１０７を有する指掛け部１００は、図５の通り指の末節の指腹にフィットした横断面形状となる。特に、図５の通りの把持状態を想定すると、緩傾斜部１０７の存在により指先を挿入しやすく、急傾斜部１０６の存在は指先のストッパ効果を高めるものとなる。
【００４４】
ここで、２つの指掛け部１００の間の隔壁１１０は、図２及び図４（Ａ）に示すように、２つの指掛け部１００の各第２縦側辺１０４よりも外側の平坦面３４Ａよりも内方に窪んでいる。こうすると、底壁部１０５と隔壁１１０との間の段差は小さくなり、底壁部１０５と隔壁１１０とを、一般には成形し難い急傾斜部１０６にて結んでも、二軸延伸ブロー成形時の形状出しが容易となる。なお、底壁部１０５と平坦面３４Ａとの間の段差は比較的大きいが、これらの間は緩傾斜部１０７にて結ばれるので、二軸延伸ブロー成形時の形状出しが容易となる。
【００４５】
図１に示すように、２つの指掛け部１００と周リブ７０との間の領域には、平坦面３４Ａと面一の仕切り領域３４Ｂが配置され、かつ、隔壁１１０と面一にて上方に延長した延長領域１１２が、仕切り領域３４Ｂを二分して周リブ７０に達している（図４（Ａ）も参照）。
【００４６】
さらに、隔壁１１０の例えば下端部側には、図１及び図４（Ａ）に示すように、隔壁１１０よりも内方に窪み、かつ、２つの指掛け部１００の底壁部１０５よりも浅い窪みの凹リブ１１１が設けられている。この凹リブ１１１の両端は、２つの指掛け部１００に連通している。
【００４７】
（減圧吸収のための構造）
容器１０に充填される内容物は、殺菌のために、例えば８０−９５℃程度に加熱された状態で熱充填されるものがある。本実施形態に係る容器１０は、このような耐熱容器としても極めて有用である。
【００４８】
内容物が熱充填された後、口部１２にキャップが装着されて、容器１０内に密封された内容物が常温まで冷却される。この冷却に伴って容器１０内が減圧され、その減圧時に大気圧に押されて容器１０の一部が陥没してその外観が変形してしまう。このような変形が生じても容器１０の商品価値を維持するために、容器１０に減圧吸収パネルを設け、この減圧吸収パネルを優先的に変位させて、容器１０内の減圧に伴う形状変形を吸収するようにしている。キャップを外すと容器１０内は大気開放されるが、このときに変形した減圧吸収パネルが元の状態に復帰して、容器１０の外観が維持される。
【００４９】
本実施形態では、少なくとも２つの下側面部３４において、２つの指掛け部１００よりも下方に減圧吸収パネル１２０が配置されている。この減圧吸収パネル１２０は、例えば、２つの下側面部３４の最外表面である平坦面３４Ａにて囲まれた四角領域内に、凹リブ１２２と凸リブ１２４とを交互に形成して、その四角領域内を補強して形成されている。
【００５０】
減圧吸収パネル１２０の上側には２つの指掛け部１００及び隔壁１１０が存在し、減圧吸収パネル１２０の左右には平坦面３４Ａを挟んで下側面取り部６４が存在し、減圧吸収パネル１２０の下側には例えば、平坦面３４Ａよりも内方に窪んで水平に延びる補強リブ１３０が存在する（図１及び図４（Ａ）参照）。ただし、補強リブ１３０は省略することもできる。
【００５１】
ここで、２つの下側面部３４のパネル強度について考察すると、上述した通り減圧吸収パネル１２０は補強されてパネル強度は高い。２つの指掛け部１００とその間の隔壁１１０も、横断面にて凹リブ、凸リブ、凹リブを形成したものであるので、その領域のパネル強度も高い。
【００５２】
一方、２つの下側面部３４の周囲について考察すると、下側面部３４の上側に位置する周リブ７０の強度は高く、下側面部３４の左右に位置する下側面取り部６６の強度も高く、さらに、下側面部３４の下側に位置する底部１６の強度も高い。
【００５３】
以上のことから、２つの下側面部３４でパネル強度が比較的低い箇所は、２つの指掛け部１００、隔壁１１０及び減圧吸収パネル１２０の補強領域と、周リブ７０、下側面取り部６６及び底部１６の補強領域との間の領域、つまり、２つの下側面部３４の最外表面である平坦面３４Ａ及び仕切り領域３４Ｂである。
【００５４】
上述した減圧時には、強度が比較的低い平坦面３４Ａ及び仕切り領域３４Ｂをヒンジ領域として、その内側に位置する２つの指掛け部１００、隔壁１１０及び減圧吸収パネル１２０が、その形状を維持したまま内側に変位することになる。
【００５５】
つまり、２つの指掛け部１００及び隔壁１１０は、減圧吸収パネル１２０と同様に機能させることができる。本実施形態では、周リブに指掛け部を設けた従来技術とは異なり、周リブ７０の下方の２つの下側面部３４に指掛け部１００を設けたため、その分、下側面部３４に形成できる減圧吸収パネル１２０の面積を縮小せざるを得ない。しかし、２つの指掛け部１００及び隔壁１１０も減圧吸収パネルとして機能させることができるので、２つの下側面部３４での減圧吸収効果を維持することが可能となる。
【００５６】
ここで、隔壁１１０と面一にて上方に延長した延長領域１１２が、仕切り領域３４Ｂを二分して周リブ７０に到達させている理由は、２つの指掛け部１００がその中心の隔壁１１０をきっかけとして減圧時に変形し易くしたものである。特に、延長領域１１２のさらに延長上には、周リブ７０に臨んで配置した中央リブ７４が存在するので、一直線上に位置する隔壁１１０、延長領域１１２及び中央リブ７４が一体となって変位することで、２つの指掛け部１００が追従して変位しやすくなる。なお、隔壁１１０の途中に設けた凹リブ１１１は、減圧変形する隔壁１１０を補強するものであるが、必ずしも設ける必要はない。
【００５７】
なお、上記のように本実施形態について詳細に説明したが、本発明の新規事項および効果から実体的に逸脱しない多くの変形が可能であることは当業者には容易に理解できるものである。従って、このような変形例はすべて本発明の範囲に含まれるものとする。例えば、明細書又は図面において、少なくとも一度、より広義または同義な異なる用語と共に記載された用語は、明細書又は図面のいかなる箇所においても、その異なる用語に置き換えることができる。
【図面の簡単な説明】
【００５８】
【図１】本発明の一実施形態に係る二軸延伸ブロー成形容器の正面図である。
【図２】図１のII−II端面図である。
【図３】図１のIII−III端面図である。
【図４】図４（Ａ）は図２の横断線ＩＶＡ−ＩＶＡにて容器全体を切断した端面図、図４（Ｂ）は図２の横断線ＩＶＢ−ＩＶＢにて容器全体を切断した端面図、図４（Ｃ）は図２の横断線ＩＶＣ−ＩＶＣにて容器全体を切断した端面図である。
【図５】２つの第１下側面部の各一つにある指掛け部に、それぞれ親指と人差し指の末節の指腹を挿入して容器を把持した状態を示す概略説明図である。
【符号の説明】
【００５９】
１０  容器、１２  口部、１４  肩部、１６  底部、２０  胴部、３０  第１側面部、
３２  上側面部（第１上側面部）、３４  下側面部（第１下側面部）、３４Ａ  平坦面、３４Ｂ  仕切り領域、４０  第２側面部、６０  面取り部、６２  上側面取り部、
６４  下側面取り部、６６  補強リブ、７０  周リブ、７４  中央リブ、
１００  指掛け部、１０２  第１縦側辺、１０４  第２縦側辺、１０５  底壁部、
１０６  急傾斜部、１０７  緩傾斜部、１１０  隔壁、１１１  凹リブ、
１１２  延長領域、１２０  減圧吸収パネル、Ｐ１  縦軸中心線
【図１】
2010030603.tif 000003
【図２】
2010030603.tif 000004
【図３】
2010030603.tif 000005
【図４】
2010030603.tif 000006
【図５】
2010030603.tif 000007